(57)【要約】【課題】無負荷時のランヤードの長さを短くして垂れ下がりを少なくすることができるランヤードを安価に得ることができるランヤード用カバーを提供する。【解決手段】長手方向の一端が安全帯に接続されるランヤード２に装着するランヤード用カバー１は、ランヤード２より短尺に形成されてランヤード２のストラップ４を弛み状態で収容すると共にランヤード２のストラップ４の弛み解消に伴う延びに追従して弾発的に伸長する伸縮性材料から成るランヤード収容部９と、ランヤード収容部９の両端部に設けられてランヤード収容部９をランヤード２の両端側の夫々に解除自在に連結する連結手段１０とを備える。【選択図】図１
2016106695.tif 000002
【特許請求の範囲】
【請求項１】
長手方向の一端が安全帯に接続されるランヤードに装着するランヤード用カバーであって、
前記ランヤードより短尺に形成されて前記ランヤードを弛み状態で収容すると共に該ランヤードの弛み解消に伴う延びに追従して弾発的に伸長する伸縮性材料から成るランヤード収容部と、該ランヤード収容部の両端部に設けられて該ランヤード収容部を前記ランヤードの両端側の夫々に解除自在に連結する連結手段とを備えることを特徴とするランヤード用カバー。
【請求項２】
前記ランヤードがその端部に環状部を備えるものであるとき、
前記連結手段は、細長形状の帯状部材を備え、該帯状部材は、前記環状部に挿通されて当該ランヤード収容部の端部に少なくとも一端を着脱自在として両端が連結されることを特徴とする請求項１記載のランヤード用カバー。
【発明の詳細な説明】
【技術分野】
【０００１】
本発明は、安全帯に接続されるランヤードに装着するランヤード用カバーに関する。
【背景技術】
【０００２】
建築作業現場において高所での作業を行うとき、作業者の落下を防止するため、作業者はランヤードを備えた安全帯を装着する。ランヤードは、その端部に設けられているフックを親綱や堅固な構造物等に掛止して用いられる。作業者が万一足を踏み外した場合には、ランヤードが安全帯を介して作業者を吊り下げ支持し、作業者の墜落を防止する。
【０００３】
この種のランヤードは、作業に伴う作業者の動きを妨げることのないように、比較的長尺に形成される。しかし、ランヤードが長尺である場合には大きく垂れ下がり、作業中の作業者の足等に引っ掛かって煩わしい不都合があった。
【０００４】
そこで、近年では、伸縮性を有するランヤードが提案されている（下記特許文献１参照）。このランヤードは、非伸縮性材料から成る長尺袋と、長尺袋の内部に収容された伸縮性材料から成るロープとによって、蛇腹状に形成される。これによれば、無負荷時のランヤードの長さを短くして垂れ下がりを少なくすることができる。
【先行技術文献】
【特許文献】
【０００５】
【特許文献１】実用新案登録第３１７０２６２号公報
【発明の概要】
【発明が解決しようとする課題】
【０００６】
しかし、上記従来の伸縮性を有するランヤードは、ロープを伸張させた状態で長尺袋とロープとを縫い合わせることによって製造されるので、製造工数が多く、高価となる不都合がある。
【０００７】
上記の点に鑑み、本発明は、無負荷時のランヤードの長さを短くして垂れ下がりを少なくすることができるランヤードを安価に得ることができるランヤード用カバーを提供することを目的とする。
【課題を解決するための手段】
【０００８】
本発明は、長手方向の一端が安全帯に接続されるランヤードに装着するランヤード用カバーであって、前記ランヤードより短尺に形成されて前記ランヤードを弛み状態で収容すると共に該ランヤードの弛み解消に伴う延びに追従して弾発的に伸長する伸縮性材料から成るランヤード収容部と、該ランヤード収容部の両端部に設けられて該ランヤード収容部を前記ランヤードの両端側の夫々に解除自在に連結する連結手段とを備えることを特徴とする。
【０００９】
本発明のランヤード用カバーは、ランヤードに装着するだけで無負荷時のランヤードの垂れ下がりを少なくすることができる。即ち、ランヤード用カバーのランヤード収容部はランヤードより短尺に形成されている。これにより、ランヤードは、ランヤード収容部の内部においては弛み状態で収容される。そして、ランヤードの両端に引っ張り力が付与されると、伸縮性材料から成るランヤード収容部が弾発的に伸長し、ランヤード本来の長さになる。
【００１０】
また、ランヤード用カバーは、上記構成によって、既存のランヤードに後付けすることができるので、既存のランヤードが無駄にならず、コストを抑えて使い勝手の良いランヤードを得ることができる。
【００１１】
また、本発明において、前記ランヤードがその端部に環状部を備えるものであるとき、前記連結手段は、細長形状の帯状部材を備え、該帯状部材は、前記環状部に挿通されて当該ランヤード収容部の端部に少なくとも一端を着脱自在として両端が連結されることが好ましい。これによれば、連結手段を構造簡単として、容易に且つ強固にランヤード用カバーをランヤードに装着することができる。
【図面の簡単な説明】
【００１２】
【図１】本発明の実施形態のランヤード用カバーをランヤードに装着した状態で一部切除して示す説明的側面図であり、（ａ）はランヤード用カバーの自然長状態、（ｂ）はランヤード用カバーの伸長状態である。
【図２】ランヤードを示す側面図。
【図３】本実施形態のランヤード用カバーの一端部と連結手段を示す斜視図であり、（ａ）は連結解除状態を示し、（ｂ）は連結形状を示している。
【図４】連結手段の変形例を示す斜視図であり、（ａ）は連結解除状態を示し、（ｂ）は連結形状を示している。
【図５】連結手段の他の変形例を示す斜視図であり、（ａ）は連結解除状態を示し、（ｂ）は連結形状を示している。
【発明を実施するための形態】
【００１３】
本発明の一実施形態を図面に基づいて説明する。図１（ａ）及び図１（ｂ）に示すように、本実施形態のランヤード用カバー１は、ランヤード２に装着して用いる。
【００１４】
ランヤード２は、図２に示すように、フック３と、ストラップ４と、図示しない安全帯の胴ベルト等に接続する小フック５とを備えている。
【００１５】
ストラップ４は、低伸度で高強度のポリエステル等の合成繊維によって平帯状に形成されている。ストラップ４の両端の夫々には、留輪７が形成されており、各留輪７にはＵシャックル８（環状部）が取り付けられている。そして、各Ｕシャックル８の夫々には、フック３と小フック５が連結されている。
【００１６】
ランヤード用カバー１は、図１（ａ）及び図１（ｂ）に示すように、ランヤード２のストラップ４よりも短尺で、筒状に形成されたランヤード収容部９と、ランヤード収容部９の両端部に設けられた連結手段１０とによって構成されている。
【００１７】
ランヤード収容部９は、弾性限界の高い糸状ゴムを織り込んだ織布等の伸縮性材料により形成されており、内部にストラップ４を収容する。
【００１８】
連結手段１０は、図３（ａ）に示すように、面ファスナー１１を備える帯状部材１２によって構成されている。図３（ｂ）に示すように、帯状部材１２を折り返し、面ファスナー１１をランヤード収容部９の端部に巻回固定すると、ランヤード収容部９の端部にループ状の掛止部１３が形成される。掛止部１３は面ファスナー１１によって形成されるので、ランヤード収容部９の端部への固定状態を容易に解除することができる。
【００１９】
この掛止部１３を、図１（ａ）及び図１（ｂ）に示すように、ストラップ４の両端のＵシャックル８に挿通させて掛止することで、ランヤード用カバー１は、ランヤード２に装着した状態となる。
【００２０】
このように、構造簡単な連結手段１０により、容易に且つ強固にランヤード用カバー１をランヤード２に装着することができる。
【００２１】
ランヤード２にランヤード用カバー１を取り付けるときには、先ず、ランヤード２の一端（本実施形態では小フック５側）を、ランヤード用カバー１のランヤード収容部９に挿入し、小フック５がランヤード収容部９から露出したところで、一方の連結手段１０の掛止部１３をＵシャックル８に掛止させて片側連結状態とする。
【００２２】
次いで、ランヤード収容部９を引き延ばして、他方の連結手段１０の掛止部１３を、フック３を連結しているＵシャックル８に掛止させる。これにより、ランヤード用カバー１は、両端がランヤード２に連結された状態となる。この状態で、ランヤード収容部９を引き延ばしを解除すると、ランヤード収容部９は復元弾性によって元の長さに縮まり、これによってランヤード収容部９の内部では、図１（ａ）に示すように、ランヤード２のストラップ４が弛んだ状態で短くなる。
【００２３】
即ち、ランヤード２のフック３と小フック５との間（図２に示すストラップ４の両端の留輪７間）に、引っ張り力の加わらない無負荷時には、ランヤード収容部９が、その弾性により自然長状態（短状態）となり、ランヤード収容部９の内部には、ランヤード２のストラップ４が蛇腹状に弛んだ状態で収容される。これにより、ランヤード２が実際の長さよりも短くなり、垂れ下がりを少なくすることができる。
【００２４】
ランヤード２のフック３と小フック５間に引っ張り力の負荷を加えると、図１（ｂ）に示すように、ランヤード２のストラップ４は弛みが解消され、自然長状態（元の長さ）となる。このとき、ランヤード収容部９はストラップ４の自然長まで延伸された状態となる。
【００２５】
以上のように、ランヤード用カバー１は、伸縮性を有さないストラップ４を備えるランヤード２に後付けすることで、ランヤード２の垂れ下がりを少なくして取り回しや作業性を向上させることができる。従って、例えば、ランヤード用カバー１のみを購入して既存のランヤードに取付ければ、既存のランヤードが無駄にならず、コストを抑えることができて経済的である。
【００２６】
なお、本実施形態においては、具体的には、ストラップ４の自然長を１．７ｍとし、ランヤード収容部９の自然長状態（無負荷状態で短くなった状態）の長さを１．２ｍ程度に設定した。ランヤード収容部９はストラップ４より短尺であればランヤード２の垂れ下がりを少なくすることができ、両者の自然長時の寸法差は、使い勝手や耐久性を考慮して適宜設定すればよい。
【００２７】
また、本実施形態においては、図３（ａ）及び図３（ｂ）に示すように、面ファスナー１１を備える帯状部材１２によって構成されている連結手段１０を採用したが、これ以外に、図４（ａ）及び図４（ｂ）に示す構成の連結手段１４や図５（ａ）及び図５（ｂ）に示す構成の連結手段１５を採用することができる。
【００２８】
図４（ａ）及び図４（ｂ）に示す連結手段１４は、ランヤード収容部９の端部に基端部側が固定された帯状部材１６の先端部を、ランヤード収容部９の端部に設けられたバックル１７に連結固定して掛止部１３を形成するものである。
【００２９】
また、図５（ａ）及び図５（ｂ）に示す連結手段１５は、ランヤード収容部９の端部に基端部が固定された帯状部材１８の先端を、ホック１９を介してランヤード収容部９の端部に連結固定して掛止部１３を形成するものである。連結手段１４，１５の何れの構成であっても、連結手段１０と同様の効果を得ることができる。
【符号の説明】
【００３０】
１…ランヤード用カバー、２…ランヤード、８…Ｕシャックル（環状部）、９…ランヤード収容部、１０，１４，１５…連結手段、１２，１６，１８…帯状部材。
【図２】
2016106695.tif 000003
【図３】
2016106695.tif 000004
【図４】
2016106695.tif 000005
【図５】
2016106695.tif 000006
【図１】
2016106695.tif 000007